(57)【要約】【課題】複数の電気機器と通信線を介して有線接続でき、かつ、通信線を通すための孔の数を最小限にし、通信線の取り回しが煩雑にならないリモコン装置を提供することにある。【解決手段】住宅内の壁部に設けられ、複数の電気機器１００のそれぞれと通信可能に設けられたリモコン本体部２００と、操作されると各電気機器１００に対する操作信号を生成する操作部３００と、を備える。複数の電気機器１００は、リモコン本体部２００と通信線２０を介して接続された第１の機器群１１０と、それ以外の第２の機器群１２０とに区分される。リモコン本体部２００は、第１の機器群１１０に通信線２０を介した有線通信により操作信号を送信する有線通信部２１１と、第２の機器群１２０に無線通信により操作信号を送信する無線通信部２１２と、を備える。通信線２０は、壁部１０に形成された孔１１を通って敷設される。【選択図】図１
2020191592.tif 000002
【特許請求の範囲】
【請求項１】
住宅内の壁部に設けられ、前記住宅に設置された複数の電気機器のそれぞれと通信可能に設けられた本体部と、
操作されると、それぞれの前記電気機器に対する操作信号を生成する操作部と、を備え、
複数の前記電気機器は、
前記本体部と通信線を介して接続された前記電気機器からなる第１の機器群と、
前記第１の機器群に含まれない前記電気機器からなる第２の機器群と、に区分され、
前記本体部は、
前記第１の機器群の前記電気機器に前記通信線を介した有線通信により前記操作信号を送信する有線通信部と、
前記第２の機器群の前記電気機器に無線通信により前記操作信号を送信する無線通信部と、を備え、
前記通信線は、前記壁部に形成された孔を通って敷設されるリモコン装置。
【請求項２】
複数の前記電気機器のそれぞれは、当該電気機器を一意に特定可能な識別信号を送信する識別信号送信部を備え、
前記本体部は、前記識別信号送信部から送信された前記識別信号により複数の前記電気機器のそれぞれを識別する機器識別部を備えた請求項１に記載のリモコン装置。
【請求項３】
複数の前記電気機器のそれぞれと前記本体部との通信接続状態を表示する接続状態表示部をさらに備えた請求項１又は請求項２に記載のリモコン装置。
【請求項４】
前記操作部は、特定の前記電気機器に対応した前記操作信号を生成する特定機器操作部を備えた請求項１から請求項３のいずれか一項に記載のリモコン装置。
【請求項５】
前記特定機器操作部は、前記本体部に着脱可能に設けられる請求項４に記載のリモコン装置。
【請求項６】
前記本体部から前記特定機器操作部に非接触で給電する非接触給電手段をさらに備えた請求項５に記載のリモコン装置。
【請求項７】
前記本体部と前記特定機器操作部との間で近距離無線通信を行う近距離無線通信手段をさらに備えた請求項５又は請求項６に記載のリモコン装置。
【発明の詳細な説明】
【技術分野】
【０００１】
この発明は、リモコン装置に関するものである。
【背景技術】
【０００２】
第１の制御手段及び第２の制御手段を有する給湯機を遠隔操作するリモコン装置として、第１の制御手段と接続される第１の有線リモコンと、第２の制御手段と接続される第２の有線リモコンとを備えたものが知られている（例えば、特許文献１参照）。
【先行技術文献】
【特許文献】
【０００３】
【特許文献１】特開２０１４−１０５９１２号公報
【発明の概要】
【発明が解決しようとする課題】
【０００４】
しかしながら、特許文献１に示されるようなリモコン装置においては、複数の遠隔操作対象である第１の制御手段及び第２の制御手段に対して、複数のリモコン（第１の有線リモコン、第２の有線リモコン）が有線で接続されている。特に給湯機のリモコンの場合、住宅内の壁部にリモコンが設置されることが多い。このように、複数の遠隔操作対象のそれぞれについて壁に設置されたリモコンと有線で接続する場合、リモコン線を通すために壁部に複数の孔を形成する必要があったり、リモコン線の取り回しが煩雑になったりする。
【０００５】
この発明は、このような課題を解決するためになされたものである。その目的は、遠隔操作対象の複数の電気機器について通信線を介して有線接続でき、かつ、通信線を通すために住宅の壁部に形成する孔の数を最小限にし、通信線の取り回しが煩雑になることを抑制可能であるリモコン装置を提供することにある。
【課題を解決するための手段】
【０００６】
この発明に係るリモコン装置は、住宅内の壁部に設けられ、前記住宅に設置された複数の電気機器のそれぞれと通信可能に設けられた本体部と、操作されると、それぞれの前記電気機器に対する操作信号を生成する操作部と、を備え、複数の前記電気機器は、前記本体部と通信線を介して接続された前記電気機器からなる第１の機器群と、前記第１の機器群に含まれない前記電気機器からなる第２の機器群と、に区分され、前記本体部は、前記第１の機器群の前記電気機器に前記通信線を介した有線通信により前記操作信号を送信する有線通信部と、前記第２の機器群の前記電気機器に無線通信により前記操作信号を送信する無線通信部と、を備え、前記通信線は、前記壁部に形成された孔を通って敷設される。
【発明の効果】
【０００７】
この発明に係るリモコン装置によれば、遠隔操作対象の複数の電気機器について通信線を介して有線接続でき、かつ、通信線を通すために住宅の壁部に形成する孔の数を最小限にし、通信線の取り回しが煩雑になることを抑制可能であるという効果を奏する。
【図面の簡単な説明】
【０００８】
【図１】この発明の実施の形態１に係るリモコン装置と接続機器の全体構成を示す図である。
【図２】この発明の実施の形態１に係るリモコン装置の取付状態を模式的に説明する図である。
【図３】この発明の実施の形態１に係るリモコン装置と接続機器の機能的構成を示すブロック図である。
【図４】この発明の実施の形態１に係るリモコン装置の構成例を示す斜視図である。
【図５】この発明の実施の形態１に係るリモコン装置の構成例を示す斜視図である。
【図６】この発明の実施の形態１に係るリモコン装置の構成例を示す斜視図である。
【図７】この発明の実施の形態１に係るリモコン装置の構成例を示す斜視図である。
【図８】この発明の実施の形態１に係るリモコン装置の機器接続時の動作の一例を示すフロー図である。
【図９】この発明の実施の形態２に係るリモコン装置と接続機器の全体構成を示す図である。
【図１０】この発明の実施の形態２に係るリモコン装置の取付状態を模式的に説明する図である。
【図１１】この発明の実施の形態２に係るリモコン装置と接続機器の機能的構成を示すブロック図である。
【図１２】この発明の実施の形態２に係るリモコン装置の構成例を示す斜視図である。
【図１３】この発明の実施の形態２に係るリモコン装置の操作部接続時の動作の一例を示すフロー図である。
【発明を実施するための形態】
【０００９】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１０】
実施の形態１．
図１から図８を参照しながら、この発明の実施の形態１について説明する。図１はリモコン装置と接続機器の全体構成を示す図である。図２はリモコン装置の取付状態を模式的に説明する図である。図３はリモコン装置と接続機器の機能的構成を示すブロック図である。図４から図７はリモコン装置の構成例を示す斜視図である。そして、図８はリモコン装置の機器接続時の動作の一例を示すフロー図である。
【００１１】
この実施の形態に係るリモコン装置は、図１に示すように、リモコン本体部２００を備えている。リモコン本体部２００は、複数の電気機器１００のそれぞれと有線方式又は無線方式により通信可能に接続されている。複数の電気機器１００は、住宅に設置された住宅設備の一部である。複数の電気機器１００は、第１の機器群１１０と第２の機器群１２０とに区分される。第１の機器群１１０は、リモコン本体部２００と通信線２０を介して接続された電気機器１００からなる群である。第２の機器群１２０は、第１の機器群１１０に含まれない電気機器１００からなる群である。
【００１２】
第１の機器群１１０の電気機器１００は、例えば、給湯機、太陽光発電用コントローラ等である。第２の機器群１２０の電気機器１００は、例えば、浴室乾燥機、換気扇、空気調和装置、ＨＥＭＳ等である。
【００１３】
図２に示すように、リモコン本体部２００は、住宅内の壁部１０に設けられる。壁部１０におけるリモコン本体部２００が取り付けられる部分には、孔１１が形成されている。リモコン本体部２００と第１の機器群１１０の電気機器１００とを接続する通信線２０は、孔１１を通って敷設される。
【００１４】
次に、図３を参照しながら、リモコン本体部２００と電気機器１００の構成について説明する。同図に示すように、リモコン本体部２００は、表示部２０１、機器識別部２０２、対象機器切替部２０３、有線通信部２１１、無線通信部２１２及び操作部３００を備えている。また、リモコン装置の遠隔操作対象となる電気機器１００は、機器通信部１０１、操作信号受付部１０２及び識別情報記憶部１０３を備えている。
【００１５】
前述したように、それぞれの電気機器１００とリモコン本体部２００とは通信可能に接続されている。リモコン本体部２００の有線通信部２１１は、第１の機器群１１０の電気機器１００の機器通信部１０１と、通信線２０を介した有線通信により信号を送受信する。リモコン本体部２００の無線通信部２１２は、第２の機器群１２０の電気機器１００の機器通信部１０１と、無線通信により信号を送受信する。
【００１６】
リモコン本体部２００の表示部２０１は、例えば液晶ディスプレイである。表示部２０１は、電気機器１００の遠隔操作に必要な各種の情報等を表示する。なお、表示部２０１と次に述べる操作部３００とを兼ねるタッチパネルを、リモコン本体部２００が備えてもよい。
【００１７】
リモコン本体部２００の操作部３００は、使用者が電気機器１００を遠隔操作するためのスイッチ、ボタン類である。操作部３００は、操作されると、それぞれの電気機器１００に対する操作信号を生成する。なお、対象機器切替部２０３により、操作部３００が操作された際に、どの電気機器１００に対する操作信号を生成するのかを切り替えることができる。
【００１８】
生成された操作信号は、有線通信部２１１又は無線通信部２１２により、対象となる電気機器１００に送信される。すなわち、対象となる電気機器１００が第１の機器群１１０に属する場合、有線通信部２１１が当該電気機器１００に通信線２０を介した有線通信により操作信号を送信する。また、対象となる電気機器１００が第２の機器群に属する場合、無線通信部２１２が当該電気機器１００に無線通信により操作信号を送信する。
【００１９】
電気機器１００の機器通信部１０１は、リモコン本体部２００から送信された操作信号を受信する。操作信号受付部１０２は、機器通信部１０１が受信した操作信号を受け付ける。そして、電気機器１００は、操作信号受付部１０２が受け付けた操作信号に応じて動作する。
【００２０】
それぞれの電気機器１００の識別情報記憶部１０３には、リモコン本体部２００に接続される複数の電気機器１００のうちから当該電気機器１００を一意に特定可能な識別情報が記憶されている。識別情報には、当該電気機器１００の種類（給湯機、空気調和装置等）、製造番号等の情報が含まれていてもよい。
【００２１】
電気機器１００を最初にリモコン本体部２００に接続する時、当該電気機器１００の機器通信部１０１は、当該電気機器１００の識別情報記憶部１０３に記憶されている識別情報を識別信号としてリモコン本体部２００に送信する。複数の電気機器１００のそれぞれが備える識別情報記憶部１０３及び機器通信部１０１は、複数の電気機器１００のそれぞれを一意に特定可能な識別信号を送信する識別信号送信部を構成している。
【００２２】
リモコン本体部２００の有線通信部２１１又は無線通信部２１２は、電気機器１００の前述した識別信号送信部から送信された識別信号を受信する。リモコン本体部２００の機器識別部２０２は、受信した識別信号を用いて、リモコン本体部２００に接続されている複数の電気機器１００のそれぞれを識別する。リモコン本体部２００は、この識別結果を用いて、操作対象となる複数の電気機器１００のそれぞれを特定する。
【００２３】
機器識別部２０２による識別結果は、表示部２０１に表示される。機器識別部２０２により識別されている電気機器１００は、リモコン本体部２００と通信可能に接続されている。したがって、機器識別部２０２による識別結果を表示部２０１に表示することは、複数の電気機器１００のそれぞれとリモコン本体部２００との通信接続状態を表示することになる。この意味で、表示部２０１は、複数の電気機器１００のそれぞれとリモコン本体部２００との通信接続状態を表示する接続状態表示部として機能している。なお、機器識別部２０２による識別結果だけでなく、その後に電気機器１００とリモコン本体部２００との間で信号を通信する都度、その通信状態を表示部２０１に表示してもよい。
【００２４】
次に、図４から図７を参照しながら、リモコン本体部２００の構成例について説明する。図４に示す構成例では、リモコン本体部２００の正面上部に表示部２０１が配置されている。そして、リモコン本体部２００の正面下部に操作部３００が配置されている。この構成例では、操作部３００は、共通操作部３１０と特定機器操作部３２０とが設けられている。共通操作部３１０は、リモコン本体部２００に接続されている複数の電気機器１００について共通する機能を操作するためのものである。
【００２５】
特定機器操作部３２０は、特定の電気機器１００に対応する機能を操作するためのものである。したがって、特定機器操作部３２０は、操作されると特定の電気機器１００に対応した操作信号を生成する。ここで示す例では、電気機器１００としてＡ及びＢの２つがリモコン本体部２００に接続されている。したがって、Ａ及びＢのそれぞれの電気機器１００に対応する特定機器操作部３２０が設けられている。
【００２６】
この構成例においては、図５に示すような操作部カバー３２１を備えてもよい。操作部カバー３２１は、各電気機器１００に対応した特定機器操作部３２０のそれぞれの表側を開閉可能に覆うことができる。使用しない電気機器１００に対応する特定機器操作部３２０を操作部カバー３２１で覆い、使用する電気機器１００に対応する特定機器操作部３２０だけを開けることで、未使用の特定機器操作部３２０が埃等で汚れることを防止したり、誤操作を防止したりできる。
【００２７】
図６に示す構成例は、複数の特定機器操作部３２０を１つの操作部３００にまとめたものである。この構成例では、同図（ａ）に示すように、リモコン本体部２００の正面上部に表示部２０１が配置されている。そして、リモコン本体部２００の正面における表示部２０１のすぐ下に操作部３００のボタンが配置されている。表示部２０１には、各ボタンに割り付けられた機能が表示される。
【００２８】
また、リモコン本体部２００の正面下部には、カーソルボタン、共通操作部３１０及び対象機器切替部２０３が設けられている。この構成例では、対象機器切替部２０３により操作部３００の下にあるボタンの操作対象となる電気機器１００を切り替えることができる。操作対象となる電気機器１００を切り替えると、各ボタンに割り付けられた機能が切り替えられる。この切り替えに応じて、例えば同図（ｂ）に示すように、表示部２０１に表示されている各ボタンに割り付けられた機能の表示も切り替えられる。
【００２９】
図７に示す構成例は、複数の特定機器操作部３２０を１つの操作部３００にまとめるとともに、対象機器切替部２０３用と操作部３００の２つの表示部２０１を設けたものである。この構成例では、リモコン本体部２００の正面上部に、対象機器切替部２０３と対象機器切替部２０３用の表示部２０１とが配置されている。対象機器切替部２０３として複数のボタンが設けられており、これらの各ボタンには、複数の電気機器１００のそれぞれが割り付けられる。そして、対象機器切替部２０３用の表示部２０１には、各ボタンに割り付けられた電気機器１００が表示される。
【００３０】
また、リモコン本体部２００の正面下部に操作部３００と操作部３００用の表示部２０１とが配置されている。操作部３００として複数のボタンが設けられており、これらの各ボタンには、操作する機能が割り付けられる。そして、操作部３００用の表示部２０１には、各ボタンに割り付けられた機能が表示される。
【００３１】
対象機器切替部２０３のボタンを操作して操作対象となる電気機器１００を切り替えると、操作部３００の各ボタンに割り付けられた機能が切り替えられる。この切り替えに応じて、操作部３００用の表示部２０１に表示されている各ボタンに割り付けられた機能の表示も切り替えられる。
【００３２】
次に、図８のフロー図を参照しながら、以上のように構成されたリモコン装置におけるリモコン本体部２００への電気機器１００接続時の動作例について説明する。まず、ステップＳ１１において、リモコン本体部２００に電気機器１００が通信線２０を介して又は無線通信により接続されると、処理はステップＳ１２へと進む。
【００３３】
ステップＳ１２においては、接続された電気機器１００の機器通信部１０１は、当該電気機器１００の識別情報記憶部１０３に記憶されている識別情報を識別信号としてリモコン本体部２００に送信する。リモコン本体部２００の有線通信部２１１又は無線通信部２１２は、電気機器１００から送信された識別信号を受信する。そして、リモコン本体部２００の機器識別部２０２は、受信した識別信号を用いて、ステップＳ１１で接続された電気機器１００の識別を試みる。
【００３４】
続くステップＳ１３において、機器識別部２０２は、受信した識別信号により接続された電気機器１００を正しく識別できたか否かを確認する。電気機器１００を正しく識別できた場合、処理はステップＳ１４へと進む。ステップＳ１４においては、表示部２０１は、識別した電気機器１００を接続機器として表示する。ステップＳ１４の処理が完了すると、一連の動作は終了となる。
【００３５】
一方、ステップＳ１３で接続された電気機器１００を正しく識別できない場合、処理はステップＳ１５へと進む。ステップＳ１５においては、表示部２０１は、電気機器１００の接続エラーを表示する。ステップＳ１５の処理が完了すると、一連の動作は終了となる。
【００３６】
以上のように構成されたリモコン装置においては、複数の電気機器１００について１つのリモコン本体部２００から操作信号を送信できる。そして、遠隔操作対象の複数の電気機器１００について通信線２０を介して有線接続できる。この際、第１の機器群１１０の電気機器１００に対応する特定機器操作部３２０は、リモコン本体部２００を介し、通信線２０による有線通信で電気機器１００へと操作信号を送信する。このため、第１の機器群１１０の電気機器１００が複数あっても、壁部１０の孔１１は、リモコン本体部２００に接続される通信線２０を通すための１つだけでよい。したがって、通信線２０を通すために住宅の壁部に形成する孔１１の数を最小限にでき、かつ、通信線２０の取り回しが煩雑になることを抑制可能である。
【００３７】
実施の形態２．
図９から図１３を参照しながら、この発明の実施の形態２について説明する。図９はリモコン装置と接続機器の全体構成を示す図である。図１０は係るリモコン装置の取付状態を模式的に説明する図である。図１１は係るリモコン装置と接続機器の機能的構成を示すブロック図である。図１２は係るリモコン装置の構成例を示す斜視図である。そして、図１３は係るリモコン装置の操作部接続時の動作の一例を示すフロー図である。
【００３８】
ここで説明する実施の形態２は、前述した実施の形態１の構成において、特定機器操作部を、リモコン本体部に着脱可能に設けたものである。以下、この実施の形態２に係るリモコン装置について、実施の形態１との相違点を中心に説明する。説明を省略した構成については実施の形態１と基本的に同様である。
【００３９】
この実施の形態に係るリモコン装置においては、図９から図１２に示すように、特定機器操作部３２０がリモコン本体部２００とは別体に設けられる。図１０に示すように、リモコン本体部２００は、住宅内の壁部１０に設けられる。実施の形態１と同様に、リモコン本体部２００と第１の機器群１１０の電気機器１００とを接続する通信線２０は、孔１１を通って敷設される。
【００４０】
図１２等に示すように、特定機器操作部３２０は、リモコン本体部２００に着脱可能に接続される。この際、第１の機器群１１０の電気機器１００に対応する特定機器操作部３２０は、リモコン本体部２００を介して通信線２０で電気機器１００へと操作信号を送信する。このため、図１０に示すように、第１の機器群１１０の電気機器１００と当該電気機器１００に対応する特定機器操作部３２０とは、直接的に通信線２０で接続する必要がない。したがって、壁部１０の孔１１は、リモコン本体部２００に接続される通信線２０を通すための１つだけでよい。よって、実施の形態１と同様の効果を奏することができるとともに、リモコン本体部２００に接続される電気機器１００に応じて、対応する特定機器操作部３２０を着脱できるため、リモコン本体部２００に必要なボタン類等の数を少なくできる。
【００４１】
この実施の形態のリモコン本体部２００は、図１１に示すように、給電部２０４及び本体側通信部２０５を備えている。また、特定機器操作部３２０は、受電部３２２、操作部側通信部３２３及び接続表示部３２４を備えている。リモコン本体部２００と特定機器操作部３２０とは、有線又は無線で接続される。
【００４２】
リモコン本体部２００と特定機器操作部３２０とが有線で接続される場合、リモコン本体部２００の給電部２０４から接続線を介して特定機器操作部３２０へと電力が供給される。接続線を介して特定機器操作部３２０へと送られた電力は、特定機器操作部３２０の受電部３２２で受電される。そして、特定機器操作部３２０は、受電部３２２で受電した電力で動作する。また、リモコン本体部２００と特定機器操作部３２０との間では、本体側通信部２０５と操作部側通信部３２３とにより前述した接続線を介して信号が双方向に通信される。
【００４３】
リモコン本体部２００と特定機器操作部３２０とが無線で接続される場合、リモコン本体部２００の給電部２０４から非接触給電により特定機器操作部３２０の受電部３２２へと電力が供給される。すなわち、この場合の給電部２０４及び受電部３２２は、リモコン本体部２００から特定機器操作部３２０に非接触で給電する非接触給電手段である。非接触で電力を伝送する方式は、既知の電磁誘導方式、磁界共振方式、マイクロ波方式等の各方式を用いることができる。特定機器操作部３２０は、受電部３２２で受電した電力で動作する。また、リモコン本体部２００と特定機器操作部３２０との間では、本体側通信部２０５と操作部側通信部３２３とにより例えば近距離無線通信で信号が双方向に通信される。
【００４４】
リモコン本体部２００に特定機器操作部３２０が接続されても、当該特定機器操作部３２０に対応する電気機器１００がリモコン本体部２００に接続されていなければ、特定機器操作部３２０を使用することはできない。そこで、リモコン本体部２００に特定機器操作部３２０が接続された際に、当該特定機器操作部３２０に対応する電気機器１００がリモコン本体部２００に接続されているか否かを、当該特定機器操作部３２０の接続表示部３２４に表示する。
【００４５】
接続表示部３２４は例えばＬＥＤ等のランプである。そして、例えば当該特定機器操作部３２０に対応する電気機器１００がリモコン本体部２００に接続されている場合は接続表示部３２４を点灯させ、そうでない場合には接続表示部３２４を消灯又は点滅させる。なお、リモコン本体部２００に特定機器操作部３２０と当該特定機器操作部３２０に対応する電気機器１００の両方が接続されているか否かを表示部２０１に表示してもよい。
【００４６】
次に、図１３のフロー図を参照しながら、以上のように構成されたリモコン装置におけるリモコン本体部２００への特定機器操作部３２０接続時の動作例について説明する。まず、ステップＳ２１において、リモコン本体部２００に特定機器操作部３２０が有線又は無線により接続されると、処理はステップＳ２２へと進む。
【００４７】
ステップＳ２２においては、リモコン本体部２００は、接続された特定機器操作部３２０に対応する電気機器１００がリモコン本体部２００に接続中であるか否かを確認する。この確認においては、機器識別部２０２による接続機器の識別結果を利用してもよい。そして、特定機器操作部３２０に対応する電気機器１００がリモコン本体部２００に接続中である場合、処理はステップＳ２３へと進む。ステップＳ２３においては、接続表示部３２４及び表示部２０１に、特定機器操作部３２０及びこれに対応する電気機器１００の両方がリモコン本体部２００に接続されたことを表示する。ステップＳ２３の処理が完了すると、一連の動作は終了となる。
【００４８】
一方、ステップＳ２２で特定機器操作部３２０に対応する電気機器１００がリモコン本体部２００に接続中でない場合、処理はステップＳ２４へと進む。ステップＳ２４においては、接続表示部３２４及び表示部２０１に、特定機器操作部３２０の接続エラーを表示する。ステップＳ２４の処理が完了すると、一連の動作は終了となる。
【符号の説明】
【００４９】
１０    壁部
１１    孔
２０    通信線
１００    電気機器
１０１    機器通信部
１０２    操作信号受付部
１０３    識別情報記憶部
１１０    第１の機器群
１２０    第２の機器群
２００    リモコン本体部
２０１    表示部
２０２    機器識別部
２０３    対象機器切替部
２０４    給電部
２０５    本体側通信部
２１１    有線通信部
２１２    無線通信部
３００    操作部
３１０    共通操作部
３２０    特定機器操作部
３２１    操作部カバー
３２２    受電部
３２３    操作部側通信部
３２４    接続表示部
【図１】
2020191592.tif 000003
【図２】
2020191592.tif 000004
【図３】
2020191592.tif 000005
【図４】
2020191592.tif 000006
【図５】
2020191592.tif 000007
【図６】
2020191592.tif 000008
【図７】
2020191592.tif 000009
【図８】
2020191592.tif 000010
【図９】
2020191592.tif 000011
【図１０】
2020191592.tif 000012
【図１１】
2020191592.tif 000013
【図１２】
2020191592.tif 000014
【図１３】
2020191592.tif 000015